(57)【要約】【課題】  平常時の景観を損なわない範囲で洪水や高潮等の水害防止対策が迅速かつ確実にとれるようにした高さ可変型堤防装置を提供することを目的とする。【解決手段】  基台と、該基台に上下方向に添って昇降可能に装備された昇降壁と、少なくとも上昇時の昇降壁相互間に構成されて増水側からの水を遮断するようにする壁間シール手段と、昇降壁を昇降駆動可能とする駆動手段とを有し、河川岸、海岸、湖沼水畔などを設置対象にして複数連設式に配設される。【選択図】図６
2020118009.tif 000002
【特許請求の範囲】
【請求項１】
基台と、該基台に上下方向に添って昇降可能に装備された昇降壁と、少なくとも上昇時の昇降壁相互間に構成されて増水側からの水を遮断するようにする壁間シール手段と、昇降壁を昇降駆動可能とする駆動手段とを有し、河川岸、海岸、湖沼水畔などを設置対象にして複数連設式に配設される高さ可変型堤防装置。
【発明の詳細な説明】
【技術分野】
【０００１】  本発明は、高さ可変型堤防装置に関する。
【背景技術】
【０００２】  河川の氾濫を防止するには、河岸である堤防の上に胸壁を設けるようにする方法があるが、この胸壁には、堤防から上向きに突き出す固定式のものと、堤防内に納めておき洪水時に上昇させて壁を形成するようにする可動式のものとがある。固定式のものはその壁自体が河川の景観を損なうものとなり、一方、可動式のものでは堤防の天端に固定支柱が構築されることになるため該支柱が河川の景観を損なうことになっていた。
そうしたことから平常時の景観を損なわないようにした堤防として特許文献１に開示の可動堤防の技術が提供された。
【先行技術文献】
【特許文献】
【０００３】
【特許文献１】特許第２５６６４５８号
【発明の概要】
【発明が解決しようとする課題】
【０００４】  上記特許文献１にかかる可動堤防は、堤防の天端上方に胸壁を堤防の断面廻りに回動自在に設け、上記胸壁を堤防の断面方向に複数連接すると共に、平常時は上記胸壁を堤防の天端上方に保持して雨よけ、日よけ等とし、洪水時は上記胸壁を転倒して堤防としたことを特徴とするものである。
しかし、この可動堤防によれば、平常時は胸壁を上方に高く待機させて景観を損なわないかのようであるが、胸壁が上方に高く待機していては上方を通じての通覧が阻害されて景観上好ましくないものである。【０００５】  本発明は、このような問題を解決しようとするものであり、平常時の景観を損なわない範囲で洪水や高潮等の水害防止対策が迅速かつ確実にとれるようにした高さ可変型堤防装置を提供することを目的とする。
【課題を解決するための手段】
【０００６】  本発明は上記目的を達成するため、請求項１に記載の発明は、基台と、該基台に上下方向に添って昇降可能に装備された昇降壁と、少なくとも上昇時の昇降壁相互間に構成されて増水側からの水を遮断するようにする壁間シール手段と、昇降壁を昇降駆動可能とする駆動手段とを有し、河川岸、海岸、湖沼水畔などを設置対象にして複数連設式に配設される。
【発明の効果】
【０００７】  上述したように請求項１に記載の発明は、基台と、該基台に上下方向に添って昇降可能に装備された昇降壁と、少なくとも上昇時の昇降壁相互間に構成されて増水側からの水を遮断するようにする壁間シール手段と、昇降壁を昇降駆動可能とする駆動手段とを有し、河川岸、海岸、湖沼水畔などを設置対象にして複数連設式に配設されるので、平常時の景観を損なわない範囲で洪水や高潮等の水害防止対策が迅速かつ確実にとれるようにした高さ可変型堤防装置を提供することができる。
【図面の簡単な説明】
【０００８】
【図１】  本発明の高さ可変型堤防装置の設置状況の実施形態を示す平面図。
【図２】  図１のＡ部拡大正面図。
【図３】  図２のＢ方向からの拡大矢視図。
【図４】  図５のＩＶ−ＩＶ線断面図。
【図５】  図４のＶ−Ｖ線断面図。
【図６】  図５のＶＩ−ＶＩ線断面図。
【図７】  他の実施形態を示す横断面図。
【図８】  Ｕ字溝タイプである他の実施形態を図１０のＣ方向からの矢視図。
【図９】  図１０のＩＸ−ＩＸ線断面図。
【図１０】  図８のＸ−Ｘ線断面図。
【図１１】  他の実施形態を示す図１２のＸＩ−ＸＩ線断面図。
【図１２】  図１１のＸＩＩ−ＸＩＩ線断面図。
【図１３】  図１２のＸＩＩＩ−ＸＩＩＩ線断面図。
【図１４】  他の実施形態を示す図１５のＸＩＶ−ＸＩＶ線断面図。
【図１５】  図１４のＸＶ−ＸＶ線断面図。
【図１６】  図１５のＸＶＩ−ＸＶＩ線断面図。
【図１７】  他の実施形態を示す平面図。
【図１８】  図１７のＸＶＩＩＩ−ＸＶＩＩＩ線断面図。
【図１９】  図１７のＸＩＸ−ＸＩＸ線断面図。
【図２０】  他の実施形態を示すシール手段の平面図。
【図２１】  他の実施形態を示す横断面図。
【図２２】  高さ可変型堤防装置の他の設置状況を示す平面図。
【図２３】  図２２のＤ方向からの拡大矢視図。
【図２４】  図２３の要部拡大斜視図。
【図２５】  図２３の要部拡大斜視図。
【発明を実施するための形態】
【０００９】  以下、本発明である高さ可変型堤防装置の一実施形態を図１ないし図６を参照しつつ説明する。図１ないし図６は高さ可変型堤防装置の平時の状態を示す。
図１において１は河川（低水路）で、Ｘはその流れ方向であり、２は右岸堤防、３は左岸堤防を示している。右岸堤防２は洪水に対し旧来から充分高く形成されているが、左岸堤防３の方は旧来から洪水で度々溢流する低いものであった。左岸堤防３側には高水敷４から表のり面５を超えたところに歩道６が設けられ、その近くには車道７が通されているとともに車道７の脇には観光地によくみられる土産物屋とか旅館などの建屋８…が設けられている。９は河川１上を渡す橋である。左岸堤防３の図示範囲の最も上流側部分３ａは図２の歩道６の面よりもやや高くなっており、その上流側部分３ａから下流側に緩やかに低くなった歩道６上に添って本発明である高さ可変型堤防装置が設置されている。
【００１０】  高さ可変型堤防装置は、河川岸、海岸、湖沼水畔などを設置対象にして複数連設式に配設される形式のもので、ここでは、河川岸の歩道６上における上流側から下流側に向けて１列状に配設されている。高さ可変型堤防装置の個々は、下側堤防躯体になるコンクリートブロック製の専用型による基台１２を備える。基台１２はＲＣ製であるがその鉄筋補強構造は図示省略されている。基台１２は樹脂製あるいは木製とされることがある。基台１２が木製とされる場合は、それ自体の木調が歩道６側および川側から観てとれることから特に景観を重んじる観光地にあっては好ましく、その一方において、図６に示すように基台１２の前後面に化粧板１３…を貼り付けて対応することもある。その場合、化粧板１３は、図６の右欄に示すようにタイル・石・貝殻・竹・木などによるモザイクアートを表現することができる。この基台１２は、底部ａと河川側である前部ｂおよび歩道６側である後部ｃを備えており、前部ｂは後部ｃよりも少し肉厚状で下方へ向かうに従って厚みが大きくなっている。例えば、図６における基台１２の上部前後幅が３００ｍｍ、溝部ｄは溝幅が１５０ｍｍとされる。この基台１２は、高さが９００ｍｍで、左右幅は２５００ｍｍとされている。これらの寸法は勿論変更されることがある。
【００１１】  例えば、左右幅については、設置全長が２００ｍ前後と長い場合には、１個につき５ｍあるいは７．５ｍさらには１０ｍの長さにして、豪雨緊急時に極限に少ない管理人（作業員）でもってできるだけ迅速に持ち上げ得る作業想定がなされることに対応するためである。即ち、基台１２を長さ１ｍのように短い設定にしておくと、緊急時の制限時間内に２００枚を持ち上げてゆく必要性がでてくるが、そうした最悪の作業条件でも短時間のうちに全基台１２…を持ち上げ得るようにするためである。る。しかし、豪雨当時に作業員を多く確保できるような想定の場合は、基台１２の長さは１．５ｍや２ｍのように短くしておいてもよい。基台１２の両端には溝１４が形成されてその間に定型あるいは不定型の基台間シール材１５が装填されることで川側から歩道側への浸水が防止されるようになっている。この基台間シール材１５は、図４の左下欄のように外部切開溝１６を通じて注入されるシリコン充填剤などの不定型のものによってもよい。また、各基台１２…は、アンカー１７…で埋設前に別途固定を図るようにしてもよい。その基礎造作は図示省略する。
【００１２】  この基台１２は、図６に示すように、表のり面５の上側である歩道６の川側内に約３００ｍｍ程度の深さをもって埋設固定されている。基台１２の内部には、前後と底部板を備えて溝部ｄ内に嵌り込む金属製あるいは樹脂製の受枠１８が基台１２と同じ左右幅をなして固定されている。この受枠１８は基台１２で得られない寸法精度を上げ他の部材や部品の取付・移動を容易化するために必要な場合があるが、基台１２のみとし、省略されることがある。受枠１８内には、昇降壁２０が昇降自在に設けられている。昇降壁２０は、横長矩形をした前後板と底板および左右縦長矩形板である側板とでなる壁本体２１と、その上端に横長状をなして固定された天板２２とでなる密閉中空体であり、ＳＵＳやアルミ合金などの金属製あるいは樹脂製などとされる。
【００１３】  昇降壁２０を上下方向である垂直に昇降させるため、上部定置ローラー２４と下部昇降ローラー２５とを備えている。上部定置ローラー２４は、溝部ｄの上部における左右２個所に対応すべく前後対向状に配置されて昇降壁２０に前後から接して垂直昇降を案内するように設けられ、一方、下部昇降ローラー２５の方は、昇降壁２０の下部における前後４点に配置されて溝ｄ内に接しながら垂直昇降を全高さ行程に亘って案内するようになっている。上部・下部ローラー２４，２５は、図４の右下欄に示すような、台座付き上スライド受２７および下スライダ２８によって置き換えることもある。
【００１４】  昇降壁２０は、受枠１８の長手２個所から立設された四角筒型のガイド支柱２９により昇降案内されるようにしてもよい。ガイド支柱２９に対する昇降壁２０内には、左右両側方からガイド支柱２９に少しの隙間を置いて対向する案内板部３０が一体に形成されている。案内板部３０は昇降壁２０自体を補強するとともに、これら案内板部３０やガイド支柱２９に対し上部定置ローラー２４，２４が対応位置することから昇降壁２０に水圧が加わったときに強く対抗し得るものとなる。
【００１５】  天板２２は、壁本体２１の前後幅よりも大きい前後幅をもったフランジ状に形成され、その前後端部裏面には基台１２上に密着する天裏シール３２が設けられて水などの浸入の防止などにより内部保護を図るようにしてある。天板２２の長手端は図４に仮想線で示すように壁本体２１の端部に一致させてある。
【００１６】  ３４は前後の上部前シール材で、帯長ゴムシートでなって溝部ｄの上端前側に基部が固定されて各昇降壁２０の上端に常に密着すべく臨むように突設されている。尚、前方からの洪水が前側において溝部ｄ内に入るのを阻止する意味で上部前シール材３４のみをこの実施形態では設けているが、後側の上部シール材についても設けることができる。天裏シール３２と上部前シール材３４とは、図６の左上欄に示すように、一体ものにすることができる。この場合の天裏シール３２は、天板２２側でなく上部前シール材３４側、即ち、基台１２側に固定された一部となっている。
【００１７】  昇降壁２０…相互間には、壁間シール手段である壁間シール材３６が設けられている。この壁間シール材３６は、図４のようにゴムやシリコンゴムなどの四角筒状弾性軟質材を用いて形成したもので、その長さは図５のように昇降壁２０の側面に対応するもので、その一側にのみ、例えば、図５の中央に示す昇降壁２０の左側の壁間シール材３６については、同シール材３６よりも図示左側の昇降壁２０の端面に取り付けられ、他側については密着するのみで取付関係はない。同じように、中央の昇降壁２０の右側に表された壁間シール材３６についても前記同様に図の左側面が昇降壁２０に取り付けられ他方側についてはフリーになっている。尚、壁間シール材３６の相手側である昇降壁２０への取付は、止着具や接着剤、嵌め込み手段、マグネット固着手段などによる。
【００１８】  壁間シール材３６については、左右両面が相手の昇降壁２０に取り付いていては、一方の昇降壁２０が上昇する際に壁間シール材３６が連結役になって隣り合う昇降壁２０までも持ち上げられることになる結果、持ち上げにくくなるおそれがあるのを避けるため、壁間シール材３６の一側のみ、即ち、各壁間シール材３６の上流側（あるいは下流側）の壁面のみが昇降壁２０に取り付けられ他側である下流側（あるいは上流側）の壁面は昇降壁２０に対して非取付け状態であるフリーとされて相対的にスライドできるようにされている。この壁間シール材３６は、隣り合う昇降壁２０，２０間において弾性伸縮可能とされることにより水に対する遮蔽性を確保するだけでなく、特に川側の面が上部前シール材３４に密に接することにより前方からと上部前シール材３４との間からの水の浸入を阻止することができるものである。
【００１９】  尚、壁間シール材３６は、四角筒状でその上端は開放されていると、上から降り注ぐ雨が入って内部に溜まってくることがある。その他の理由で内部に水が溜まってくるのを防ぐため、図６に示すように、チェックバルブ３８付きの排水経路３９を設けておくことができる。排水経路３９の開放端には、平時はフリーに排水でき増水時には川側からの水圧で自動的に閉止する開閉弁４０を備えておくようにする。壁間シール材３６を通じての水の浸入を阻止する方法としては、壁間シール材３６の底面を閉じておいたり、図４の右上欄左図のように、上蓋３６ａ付きにしたり、右図のように、四角柱スポンジあるいはゴム（シリコンゴムを含む）のような中実弾性質材にすることができる。この右図では、昇降壁２０，２０間の全体幅をもつ壁間シール材３６とする場合と、その間を２つに分割して壁間シール材ａ、ｂを形成する場合の２つのパターンを同時に示している。ａの部分は左側の昇降壁２０に、またｂは右側の昇降壁２０にそれぞれ取付けられ（接着も含む）、ａ、ｂは各昇降壁２０に同調して昇降し得るようになっている。それらａ、ｂの間には滑り易い樹脂板をそれぞれ装着しておいてもよい。
前記天板２２は、壁間シール材３６の上方にまで左右から延出し付き合わされた形にしてもよいのであるが、そうすると中央に示す昇降壁２０が先に持ち上がってそれに連れて壁間シール材３６が持ち上がった際その壁間シール材３６が隣り合う（下降位置の）昇降壁２０の天板２２に当たってそれ以上は上昇できないこととなり、それを防止するため壁間シール材３６の上方には天板２２を対向配置しないようにしてある。右隣の昇降壁２０が先に持ち上げられあとで中央の昇降壁２０が持ち上がる場合には、天板２２，２２を隣合って突き合わせ状にしてあっても支障はない。
【００２０】  ４３は昇降壁２０を昇降駆動可能とする駆動手段である。駆動手段４３において、４４は上下固定軸受で、溝部ｄの上端と下端位置で昇降壁２０の左右幅間中央に対応する上下位置にそれぞれ突設されている。４５はオネジ軸である昇降駆動軸で、その上下端は前記上下固定軸受４４，４４に遊転自在に挿通され、その軸下端外周には、昇降壁２０の下端に突設した底ブラケット４７に取り付けられたメスネジである昇降ボス体４８が螺合して設けられている。
【００２１】  昇降駆動軸４５の上端には、六角孔付きの回転ボス４９が取り付けられ、図６のように、上方から差し込まれる回転操作ハンドル５０による回転操作で往復回転操作可能とされている。ハンドル５０が差し込まれる天板２２の相当個所には、図６の右上個所に示すように、ヒンジにより開閉し裏シールにより水封可能な蓋５２を設けておくことができる。平時はこの蓋５２は閉じられる一方、増水により緊急時にはこの蓋５２を開けてそこに現れる回転ボス４９に回転操作ハンドル５０を挿し込んで一定方向に回転操作をすれば昇降壁２０は自動で持ち上がるのである。回転操作ハンドル５０には、倍力機構を備えておけば小さい力で昇降壁２０を引き上げることが可能になる。尚、回転操作ハンドル５０の歩道６からのハンドル高さは約１２０ｃｍになる。
【００２２】  平時は図１ないし図６に示すように各昇降壁２０が基台１２内に下降し天板２２が閉止した密閉状態になっている。この状態で歩道６の面から天板２２までの高さは５０〜６０ｃｍ前後と一般的な河川堤防としては非常に低くなっているので観光地としての景観保護には好適である。また、天板２２による閉止で内部の上部前シール材３４や他の昇降手段の機構の保護が長期に亘って図られる。豪雨などで危険が想定されると、例えば、上流側から蓋５２が開けられ、回転操作ハンドル５０がその回転ボス４９に挿し込まれてのち、上昇方向にハンドル操作がなされることで、昇降壁２０はネジジャッキ駆動により上昇される。この際、昇降壁２０は、内部はガイド支柱２９で規律案内されるとともに外部は上下のローラー２４，２５により軽快かつ確実に案内されることになる。回転操作ハンドル５０の軸部は蓋５２が開けられているため障害になるおそれはない。この昇降壁２０の上昇時、同昇降壁２０とともにその下流側に取り付けられた壁間シール材３６はその下流側に隣り合う昇降壁２０の上流側面を滑りながら上昇させられる。
【００２３】  その上昇した昇降壁２０に次いで、例えば、図３ないし図５の中央に示す昇降壁２０が下流側に隣合うものとして上昇されると仮定した場合、該昇降壁２０の蓋５２がまず開けられ、前記で使用した回転操作ハンドル５０が図６の右上欄に示すように回転ボス４９の六角孔内に嵌め込まれたあとハンドル５０が上昇方向に回されることにより昇降壁２０が上昇される。昇降壁２０の上昇により上部前シール材３４は基台１２と昇降壁２０との前側間を完全密閉しており、また図５の中央の昇降壁２０の上流側の端部は先に上昇していた壁間シール材３６に添って上昇し密閉状態を保っているので、増水側からの水の浸入は阻止された状態を確保できることとなる。図５の右端の壁間シール材３６はそのときに持ち上げられ、次に隣の昇降壁２０が持ち上げられることでそのシール機能は発揮されるものとなる。こうして次々と昇降壁２０…が上昇され、その間に壁間シール材３６が密閉を確保した状態とされる。
【００２４】  図７は他の実施形態を示す。同図は、高さ可変型堤防装置を例えば、図５のＩＶ−ＩＶ線レベルで横断して上からみた断面図に相当する。
この実施形態では、左右間中央に図示した昇降壁５５が図１の配列のうちの特定の位置のものであり、その左右両端が後部突起５６を備え、それに隣り合う左右の昇降壁５７が前部突起５８を備えたものであって、両者は腰掛継ぎ（段継ぎ）に似た側部組み構造とされるとともに、その間に四角柱状あるいは四角筒状をした弾性質の壁間シール材６０が突起５６，５８のうちの一方に取り付けられた状態で介装されたものである。この壁間シール材６０は、隣り合う昇降壁５５，５７間で生じる設置誤差を吸収しつつ密閉性能を維持し得るものとされる。壁間シール材６０は、下欄のように、平坦な基部に丸や角の突条を一体に備えたシール材を使用してもよい。
【００２５】  昇降壁５５は左右幅Ｗ１が少し（５ないし１０ｃｍ前後）短く、他方の昇降壁５７は幅Ｗ２が長くなっていて、長い昇降壁５７に水圧によるより大きな負荷が掛ることにより壁間シール材６０が押圧されて高い密閉性を保つようにしたものである。幅のやや狭い中央の昇降壁５５はその際の抵抗を確実に受けるようにするため、内部中央に補強柱６２を一体化しておいたり、ガイド支柱６３や下スライダ６４を設けたりする。他の点は前記と同様であるため同じ符号を付してある。昇降壁５５と隣り合う昇降壁５７とは図７の左下欄に示すように目違い継ぎ式のものにしてもよいし、そぎ継ぎ式のものにしてもよい。目違い継ぎ式にすると隣り合う昇降壁５５，５７同士が前後にずれることなく上昇させ得る。目違い継ぎ式やそぎ継ぎ式などは、図４の実施形態にも適用できる。図２ないし図７に示す基台１２はコンクリートブロック式の短いものであったが長い現場打設式のものであってもよい。
【００２６】  図８ないし図１０は他の実施形態を示す。この実施形態は、基台１２が図１０の右欄のように既製のコンクリート製Ｕ字溝とされ、前記実施形態と同じ構成部分には同じ符号を付してある。昇降壁２０には幅の広い天板２２がなく上板が設けられているだけのもので、その昇降壁２０の前後には、上部前シール材３４と上部後シール材３５が配備されている。上部後シール材３５の回転ボス４９上に対応する部分には蓋６６が開閉式に設けられている。６７は開閉保護板である。
【００２７】  図１１ないし図１３は他の実施形態を示す。この実施形態は、駆動手段７０に特徴があり、同駆動手段７０は、昇降壁２０の後部面中央に縦軸状に固定したラック軸７１を有し、このラック軸７１に対し咬み合うピニオン７２を基台１２側の軸受７３に縦軸周りに回転自在に備えるとともに、そのピニオン７２を回転させる回転ボス７４を軸受７３上に備える。上部後シール材３５の一部は蓋７５を備え、この蓋７５が緊急時に開けられるとその下には回転ボス７４が見えているので、そこに回転操作ハンドル７７を挿し込んで回すことによりピニオン７２が回転駆動されてラック軸７１が持ち上がり、これにより昇降壁２０が上昇されるようになっている。
【００２８】  図１４ないし図１６は他の実施形態を示す。同実施形態は、駆動手段８０に特徴があり、同駆動手段８０は、昇降壁２０の後部面左右２個所に縦軸状に固定したラック軸８１を有し、これらのラック軸８１は、基台１２内に固定した軸受８２に横軸状に支持した連動軸８３に備えたピニオン８４，８４が咬み合う形になっている。連動軸８３の一端には、傘型ギア８５を組み合わせたギアボックス８６が基台１２内面にあるように固定されている。このギアボックス８６上には回転ボス８７が設けられて一方のギア８５に連結されている。８８は上部後シール材３５に設けられた蓋である。
【００２９】  緊急時には、この蓋８８を開けて回転ボス８７に回転操作ハンドル８９を挿し込み、上昇方向に回転操作することによりピニオン８４，８４が回転しラック軸８１，８１が持ち上げ駆動されることにより昇降壁２０が上昇するようになっている。９０は隣り合う昇降壁２０，２０を上昇時に連結し合うアジャストファスナーである。尚、回転ボス８７およびギアボックス８６は、図１５のように、昇降壁２０の左右幅中央に対応する基台１２内面に設置してもよい。
【００３０】  図１７ないし図１９は他の実施形態を示す。同実施形態は、基台１２に昇降壁２０を配備して上部定置ローラー２４と下部昇降ローラー２５により昇降案内可能とするとともに基台１２には昇降壁２０との間で水の浸入を阻止する上部前シール材３４と後部シール材３５とを配備し駆動手段４３を備えて昇降駆動を可能としたものにおいて、特に、昇降壁２０，２０間の壁間シール手段を工夫したものである。
【００３１】  この壁間シール手段は、前面シール板９３と壁間シール材９４とでなっている。前面シール板９３は、昇降壁２０と同じ高さをした縦長状薄板でなり、金属や樹脂あるいはゴム板などにより造られている。昇降壁２０の隣り合うものの前面には、前面シール板９３が嵌り込む溝ａ、ｂがそれぞれ形成されており、その上流側の板部は溝ａ内に嵌って止着具９５により取り付けられる一方下流側の板部は溝ｂに添ってスライド可能なようにセットされている。前面シール板９３の下流側の板部には内部芯材として前側吸着材９６が埋め込まれる一方、それに対面する昇降壁２０の面には前側吸着材９６と磁力吸着可能な関係となる後側吸着材９７が埋め込まれている。前面シール板９３は、図１７の右欄のように、弾性マットｃの前面に保護シートｄを重合したものにしてもよい。
【００３２】  前側吸着材９６と後側吸着材９７とは例えば、マグネット同士、あるいは鉄板とマグネットのような関係となる材料のことである。この前面シール板９３は、駆動手段４３により上流側の昇降壁２０が上昇された場合昇降壁２０とともに上昇し、その際前面シール板９３の下流側の板部は昇降壁２０にスライドしながら上昇することになり、そのあとで、下流側の昇降壁２０が上昇されてくると、昇降壁２０が前シール板９３の裏面に添ってスライドしながら上昇してゆくことになり、上昇後には磁力が働いて両吸着材９６，９７が吸着する結果、両昇降壁２０，２０の前面に前面シール板９３が面着することになって前方からの洪水を完全に遮断することになる。特に、前面シール板９３には、河川流による水流および水圧が作用する結果、より完全に洪水を遮断することになる。前記梁吸着材９６，９７は省略することもできる。
尚、両昇降壁２０，２０間には、中空型の壁間シール材９４が設けられて上方からの雨やゴミなどが入り込まないようにしてあるが、この壁間シール材９４は、前面シール板９３に一体化したものにしてもよくまた別体化してもよい。壁間シール材９４は省略することもある。
【００３３】  図２０は他の実施形態を示す。同実施形態は、基台１００の溝内に昇降可能な昇降壁１０１，１０１を備えてその前後を上部シール材１０２，１０２でシーリングしたものにおいて、昇降壁１０１の各端部は前方開放状の溝部１０３を備えるものとし、その溝部１０３の空間を利用してゴム・金属・樹脂製のいずれかで縦長状に形成したシール溝付き材１０４を図２０の左側の昇降壁１０１に止め付けあるいは接着により固着しておき、その相手側である右側の昇降壁１０１から突片１０５を設けてシール溝付き材１０４の溝内にスライド可能に密閉嵌合するようにしたものである。突片１０５は、ゴム・金属・樹脂製のいずれかでよい。両昇降壁１０１，１０１は、シール溝付き材１０４と突片１０５の前後ずれ規制シール手段により結合されているので、上昇後も互いに前後にずれることなく左右に進退調整しながらシール状態を保持して洪水に対応できるようになる。尚、突片１０５の外周にはゴムなどの弾性質のシール材１０６が設けられ、前方からの浸水防止が図られるようにする。前記シール溝付き材１０４は、高い弾性伸縮性をもつスポンジ質などを使用して常に昇降壁２０，２０間の伸縮に追従し得て前方からの洪水を遮断するようになっている。
【００３４】  図２１は他の実施形態を示す。同実施形態は、図６に示す実施形態の変形例を示すものであり、符号については図６と同様の構成点については同じ符号を付すものとする。昇降壁２０は上昇状態において上部定置ローラー２４を支点にして下部昇降ローラー２５が転回するようになって洪水に伴う圧力を受けて後方に倒れやすくなり、その結果、昇降壁２０が後倒れしたり各部のシール状態が損なわれる恐れが出てくる。そこで、昇降壁２０の起立状態を安定に維持するため、昇降壁２０の溝内上部には楔型をした固定受材１１０を固定しておき、昇降壁２０の前面には同じく楔型をしていて固定受材１１０にそぎ継ぎ式のように係合する係合材１１１を設けるものとする。また、昇降壁２０の裏面下部には、転回を防ぐための矩形ブロック１１２を設けるものとする。
【００３５】  図２２ないし図２５は他の実施形態を示す。図２２において１は河川（低水路）で、Ｘはその流れ方向であり、２は右岸堤防、３は左岸堤防を示している。右岸堤防２は洪水に対し旧来から充分高く形成されているが、左岸堤防３の方は旧来から洪水で度々溢流する低いものであった。左岸堤防３側には高水敷４から表のり面５を超えたところに歩道６が設けられ、その近くには車道７が通されているとともに車道７の脇には観光地によくみられる土産物屋とか旅館などの建屋８…が設けられている。９は河川１上を渡す橋である。左岸堤防３の図示範囲の最も上流側部分３ａは図２の歩道６の面よりもやや高くなっており、その上流側部分３ａから下流側に緩やかに低くなった歩道６上に添って本発明である高さ可変型堤防装置が設置されている。
【００３６】  高さ可変型堤防装置は、河川岸、海岸、湖沼水畔などを設置対象にして複数連設式に配設される形式のもので、ここでは、河川岸の歩道６上における上流側から下流側に向けて１列状に配設されている。高さ可変型堤防装置は、下側堤防躯体になるコンクリートブロック製のＵ字専用型による基台１２と、各基台１２に低く収納されて洪水対策時に上昇される昇降壁２０とを組み合わせたものになっている。これらの高さ可変型堤防装置の長手数か所には、共に和風外観で切妻型をした第１和小屋１１５…と第２和小屋１１６…とが離間した形で各埋込式に配備されている。
【００３７】  第１和小屋１１５は、屋内に和風燈具１１７を備えた木調外観をしたコンクリート製のもので、その一方あるいは前後双方壁面には、図２４に示すような、固定側パッキン１１８が設けられている。第２和小屋１１６は、回転操作ハンドル５０…や防災シート、土嚢などの洪水前の緊急時に必要な多くの物品を収納したりその他緊急時に必要なもの以外の用具も入れておくものであり、木調外観をしたコンクリート製のもので、例えば、この実施形態では前後壁面に固定側パッキン１１８を備えて上下流間に複数個配備されている。
【００３８】  例えば、上流側においては、最も上流端とそれより２０ｍ・４０ｍ程下流側に離れた位置に第１和小屋１１５…が設置され、また下流側に２０ｍ離れたところに第２和小屋１１６を設置し、さらに２０ｍ下流側に第１和小屋１１５を、また２０ｍ下流側に第２和小屋１１６を設置してなる。これらのそれぞれの間には９ないし１０基の高さ可変型堤防装置が埋設式に設置してある。高さ可変型堤防装置は、図２ないし図６に示すような具体的構造のもとに列設されるものとされる。第１和小屋１１５の側面の固定側パッキン１１８には、図２４のように昇降壁２０の壁間シール材３６が密着しながら昇降できるようにし、また、第２和小屋１１６の固定側パッキン１１８に対しても壁間シール材３６が密着しながら昇降できるようになっている。
尚、第２和小屋１１６あるいは第１和小屋１１５の川側に面する壁部には、図２３に示すように、裏出入り戸１１９が密閉式で設けられ、歩道６側の表出入り戸１２０から入ってこの戸１１９を開ければ川側に出ることもでき、さらに、階段１２１を使って河川側に降りたりすることもできるようになっている。
【符号の説明】
【００３９】  １…河川  ２，３…岸堤防  １２…基台  ２０…昇降壁  ３６…壁間シール材  ４３…駆動手段。
【図１】
2020118009.tif 000003
【図２】
2020118009.tif 000004
【図３】
2020118009.tif 000005
【図４】
2020118009.tif 000006
【図５】
2020118009.tif 000007
【図６】
2020118009.tif 000008
【図７】
2020118009.tif 000009
【図８】
2020118009.tif 000010
【図９】
2020118009.tif 000011
【図１０】
2020118009.tif 000012
【図１１】
2020118009.tif 000013
【図１２】
2020118009.tif 000014
【図１３】
2020118009.tif 000015
【図１４】
2020118009.tif 000016
【図１５】
2020118009.tif 000017
【図１６】
2020118009.tif 000018
【図１７】
2020118009.tif 000019
【図１８】
2020118009.tif 000020
【図１９】
2020118009.tif 000021
【図２０】
2020118009.tif 000022
【図２１】
2020118009.tif 000023
【図２２】
2020118009.tif 000024
【図２３】
2020118009.tif 000025
【図２４】
2020118009.tif 000026
【図２５】
2020118009.tif 000027